(57)【要約】【課題】画質調整する手間が簡単な、かつ、画質調整値を任意に書き換えられる、液晶表示装置を提供する。【解決手段】映像信号４が入力される入力部３と、信号出力部５と、前記信号出力部５から出力された画質調整電圧７と前記映像信号４に従い、画像信号１０を出力する画像形成部６と、液晶パネル１１４と、前記画像信号１０に従い、前記液晶パネル１１４を駆動する駆動部９とを備え、前記信号出力部５は前記画像形成部６に対し、記憶された複数の異なる前記画質調整電圧７を出力する。【選択図】図２
2006084662.tif 000002
【特許請求の範囲】
【請求項１】
映像信号が入力される入力部と、信号出力部と、前記信号出力部から出力された画質調整電圧と前記映像信号に従い、画像信号を出力する画像形成部と、液晶パネルと、前記画像信号に従い、前記液晶パネルを駆動する駆動部とを備え、前記信号出力部は前記画像形成部に対し、記憶された複数の異なる前記画質調整電圧を出力する事を特徴とする液晶表示装置。
【請求項２】
前記信号出力部は、所定の各デジタル値を記憶する書き換え可能な記憶部と、各デジタル値を各アナログ値に変換するＤＡ変換部と、各アナログ値の順次切替えを繰返す切替部と、切替えられた各アナログ値をホールドし、複数の異なる前記画質調整電圧を出力するホールド部とからなる事を特徴とする請求項１の液晶表示装置。
【請求項３】
前記記憶部と、前記ＤＡ変換部と、前記切替部と、前記ホールド部とが１個の集積回路素子に組込まれた事を特徴とする請求項２の液晶表示装置。
【請求項４】
映像信号が入力される入力部と、信号出力部と、前記映像信号に従い、画像信号を出力する画像形成部と、液晶パネルと、前記画像信号に従い、前記液晶パネルを駆動する駆動部とを備え、電源投入時に、前記信号出力部は前記画像形成部に対し、画質調整に係る、記憶されたシリアルインターフェイス用信号を出力する事を特徴とする液晶表示装置。
【請求項５】
前記信号出力部は、各デジタル値を記憶する書き換え可能な記憶部と、電源電圧を監視する監視部と、前記監視部は電源が投入されたと判定した時に、各デジタル値を読出しデコードする読出し部と、前記デコードされた信号を前記シリアルインターフェイス用信号に変換し出力する出力部とからなる事を特徴とする請求項４の液晶表示装置。
【請求項６】
前記記憶部と、前記監視部と、前記読出し部と、前記出力部とが１個の集積回路素子に組込まれた事を特徴とする請求項５の液晶表示装置。
【発明の詳細な説明】
【技術分野】
【０００１】
本発明は液晶表示装置に関する。
【背景技術】
【０００２】
従来、この種の装置は、例えば特許文献１に示されている。この特許文献１によると、映像信号が入力される電圧補正部６と、電圧発生部５と、データドライバ３と、液晶パネル１とが設けられている。そして、電圧発生部５は複数の半固定抵抗ＶＲからなり、それらにより生成された複数の電圧を供給している。
【特許文献１】特開平５−５８６５号公報
【発明の開示】
【発明が解決しようとする課題】
【０００３】
本発明者は上記電圧発生部５を信号出力部に置き換え、上記電圧補正部６を画像形成部に置き換え、液晶表示装置を製作した。そして、信号出力部として、Ｒ，Ｇ，Ｂの輝度調整用ＶＲと、コントラスト調整用ＶＲ等、１０個のＶＲ（半固定抵抗）を回路基板上に設けた。しかし、１０個のＶＲを調整する手間が煩わしい、第１の欠点がある。
【０００４】
この欠点を解消するために、本発明者は、シリアルインターフェイス機能を持たせた信号出力部および画像形成部を製作した。しかし、この信号出力部は記憶機能を持っていないので、電源を入れる度に、画質調整作業をする手間が煩わしい、第２の欠点がある。
【０００５】
この欠点を解消するために、本発明者は、信号出力部にマイコンを接続させる事を試みた。しかし、画質調整値を任意に書き換えられない、第３の欠点がある。そこで、本発明者は、この様な従来の欠点を考慮して、画質調整する手間が簡単な、かつ、画質調整値を任意に書き換えられる、液晶表示装置を提供する。
【課題を解決するための手段】
【０００６】
上記課題を解決するために、請求項１の本発明では、映像信号が入力される入力部と、信号出力部と、前記信号出力部から出力された画質調整電圧と前記映像信号に従い、画像信号を出力する画像形成部と、液晶パネルと、前記画像信号に従い、前記液晶パネルを駆動する駆動部とを備え、前記信号出力部は前記画像形成部に対し、記憶された複数の異なる前記画質調整電圧を出力する。
【０００７】
請求項２の本発明では、前記信号出力部は、所定の各デジタル値を記憶する書き換え可能な記憶部と、各デジタル値を各アナログ値に変換するＤＡ変換部と、各アナログ値の順次切替えを繰返す切替部と、切替えられた各アナログ値をホールドし、複数の異なる前記画質調整電圧を出力するホールド部とからなる。
【０００８】
請求項３の本発明では、前記記憶部と、前記ＤＡ変換部と、前記切替部と、前記ホールド部とが１個の集積回路素子に組込まれた。
【０００９】
請求項４の本発明では、映像信号が入力される入力部と、信号出力部と、前記映像信号に従い、画像信号を出力する画像形成部と、液晶パネルと、前記画像信号に従い、前記液晶パネルを駆動する駆動部とを備え、電源投入時に、前記信号出力部は前記画像形成部に対し、画質調整に係る、記憶されたシリアルインターフェイス用信号を出力する。
【００１０】
請求項５の本発明では、前記信号出力部は、各デジタル値を記憶する書き換え可能な記憶部と、電源電圧を監視する監視部と、前記監視部は電源が投入されたと判定した時に、各デジタル値を読出しデコードする読出し部と、前記デコードされた信号を前記シリアルインターフェイス用信号に変換し出力する出力部とからなる。
【００１１】
請求項６の本発明では、前記記憶部と、前記監視部と、前記読出し部と、前記出力部とが１個の集積回路素子に組込まれた。
【発明の効果】
【００１２】
請求項１の本発明では、映像信号が入力される入力部と、信号出力部と、前記信号出力部から出力された画質調整電圧と前記映像信号に従い、画像信号を出力する画像形成部と、液晶パネルと、画像信号に従い、液晶パネルを駆動する駆動部とを備え、信号出力部は画像形成部に対し、記憶された複数の異なる画質調整電圧を出力する。この様に、信号出力部は画像形成部に対し、記憶された複数の異なる画質調整電圧を出力するので、従来の様に、人の手による調整作業が要らない。従って、画質調整する手間が簡単である。
【００１３】
請求項２の本発明では、信号出力部は、所定の各デジタル値を記憶する書き換え可能な記憶部と、各デジタル値を各アナログ値に変換するＤＡ変換部と、各アナログ値の順次切替えを繰返す切替部と、切替えられた各アナログ値をホールドし、複数の異なる画質調整電圧を出力するホールド部とからなる。上記構成の様に、記憶部は所定の各デジタル値を書き換え可能であるので、画質調整値を任意に書き換える事ができる。即ち、入力部に治具を接続し、治具に設けられた可変器を調整する事により、液晶パネルの色調を見ながら記憶部に記憶させる各デジタル値として、最適なものを選択し、書き換える事ができる。また、この様に、部品を実装した回路基板をハンドリング（取扱う）しないので、回路基板を損傷する恐れが無い。
【００１４】
請求項３の本発明では、記憶部と、ＤＡ変換部と、切替部と、ホールド部とが１個の集積回路素子に組込まれた。この様に、上記複数の部品を１個のＩＣとして組み込む事により、省スペース化が得られ、コストが安くなり、かつノイズが入りにくい。
【００１５】
請求項４の本発明では、映像信号が入力される入力部と、信号出力部と、映像信号に従い、画像信号を出力する画像形成部と、液晶パネルと、画像信号に従い、液晶パネルを駆動する駆動部とを備え、電源投入時に、信号出力部は画像形成部に対し、画質調整に係る記憶されたシリアルインターフェイス用信号を出力する。この様に、信号出力部は画像形成部に対し、記憶された、画質調整に係るシリアルインターフェイス用信号を出力する。従って、従来の様に、人の手による調整作業が要らないので、画質調整する手間が簡単である。
【００１６】
請求項５の本発明では、信号出力部は、各デジタル値を記憶する書き換え可能な記憶部と、電源電圧を監視する監視部と、監視部は電源が投入されたと判定した時に、各デジタル値を読出しデコードする読出し部と、デコードされた信号をシリアルインターフェイス用信号に変換し出力する出力部とからなる。上記構成の様に、記憶部は所定の各デジタル値を書き換え可能であるので、画質調整値を任意に書き換えることができる。また、電源立ち上がり時に、シリアルインターフェイス用信号を出力するので、従来の様に、電源を入れる度に、画質調整作業する手間が要らない。また、この画質調整作業のためのマイコンを必要としないので、コストも安くなる。
【００１７】
請求項６の本発明では、記憶部と、監視部と、読出し部と、出力部とが１個の集積回路素子に組込まれた。この様に、上記複数の部品を１個のＩＣとして組み込む事により、省スペース化が得られ、コストが安くなり、かつノイズが入りにくい。
【発明を実施するための最良の形態】
【００１８】
以下に、図１ないし図３に従い、本発明を実施するための最良の形態１に係る液晶表示装置１を説明する。図１は液晶表示装置１を用いた電子機器１００のブロック図、図２は液晶表示装置１のブロック図である。図３は液晶表示装置１に用いられた信号出力部５のブロック図である。
【００１９】
電子機器（例えばナビゲーション）１００は、図１に示す様に、ＣＰＵ等からなる中央演算制御部１０１と、制御プログラムを格納したＲＯＭ１０２と、一時記憶装置であるＲＡＭ１０３と、テレビ機能部１０４と、カメラ機能部１０５とを備えている。
【００２０】
また、電子機器１００は、音声出力部１０７と、入力操作部１０８と、交通情報取得部１１１と、強調処理部１１６を有する画像生成部１１２と、描画メモリ１１３と、液晶パネル１１４および表示制御部１１５を有する液晶表示部１と、地図および画像情報取得部１１６と、現在位置取得部１１７と、それらを接続するバス１１９とから、構成されている。
【００２１】
次に、主に図２に従い、表示装置１を説明する。入力部３は例えばコネクタからなり、一側がバス１１９に接続され、他側が後述の部品に接続されている。例えば、映像信号４（Ｒ１，Ｇ１，Ｂ１）は入力部３に入力される。
【００２２】
信号出力部５は、入力側が入力部３に接続され、出力側が画像形成部６に接続されている。信号出力部５は画像形成部６に対し、画質調整電圧７を出力する。
【００２３】
画像形成部６は例えばビデオＩＣ等からなる。映像信号４（Ｒ１，Ｇ１，Ｂ１）および画質調整電圧７は、画像形成部６に入力される。同期信号ＣＳＹＮＣおよびコンポジット信号Ｃｏｍｐｏｓｉｔｅは、画像形成部６に入力される。Ｙｓ信号は、入力部３から画像形成部６に入力される。タイミング信号ＰＯＬＣ，ＰＯＬＶ，ＳＷＶは、タイミング制御器８から画像形成部６に入力される。
【００２４】
信号出力部５から出力された画質調整電圧７と、映像信号４と、同期信号ＣＳＹＮＣに従い、画像形成部６は駆動部９に対し、画像信号１０（Ｒ，Ｇ，Ｂ）を出力する。
【００２５】
画像形成部６はタイミング制御器８に対し、同期信号ＳＹＮＣ  ＯＵＴを出力する。タイミング制御器８は駆動部９に対し、タイミング信号Ｔｉｍｍｉｎｇ  Ｓｉｇａｎａｌｓを出力する。このタイミング信号は、第１タイミング信号および第２タイミング信号からなる。
【００２６】
液晶パネル１１４は例えば、素子基板と対向基板との間に液晶を挟持してなる。素子基板には、横方向に延在する複数のデータ線と、縦方向に延在する複数の走査線が形成されている。各データ線と各走査線との交差に対応して、スイッチング素子として機能するＴＦＴが設けられている。
【００２７】
ＴＦＴのゲート電極は走査線に、そのソース電極はデータ線に、そのドレイン電極は画素電極に接続されている。
【００２８】
対向基板には、Ｒ，Ｇ，Ｂのカラーフィルターが設けられ、そのカラーフィルターに接続して、共通電極が設けられている。共通電極には、所定の電圧が印加されている。以上の部品により、液晶パネル１１４は構成されている。
【００２９】
駆動部９は、データ線駆動回路と走査線駆動回路（共に図示せず）とからなる。データ線駆動回路の各入力端子には、画像信号１０と第１タイミング信号等が入力される。データ線駆動回路の各出力端子は、液晶パネル１１４の各データ線に接続されている。
【００３０】
走査線駆動回路の入力端子には、第２タイミング信号等が入力される。走査線駆動回路の各出力端子は、液晶パネル１１４の各走査線に接続されている。この様に、駆動部９は画像信号７に従い、液晶パネル１１４を駆動する。
【００３１】
電源部１１は例えばＤＣ−ＤＣコンバータからなる。電源部１１の入力側は入力部３に接続されている。電源部１１の出力側は出力端子に接続され、各部品に対し、所定の直流電圧を供給するものである。
【００３２】
インバータ１２の入力側は入力部３に接続され、出力側はバックライト１３に接続されている。バックライト１３は液晶パネル１１４を照光するものである。
【００３３】
論理回路１４の各入力側は、信号出力部５と、信号Ｙｓの出力線に接続されている。論理回路１４の制御端子は第１スイッチ１５の制御端子に接続されている。
【００３４】
第１スイッチ１５の第１端子は、映像信号４の同期信号ＣＳＹＮＣが入力され、第２端子はテレビ用の同期信号ＴＶ  ＳＹＮＣが入力される。第１スイッチ１５の共通端子は、画像形成部６の入力端子に接続されている。
【００３５】
第２スイッチ１６の制御端子は、信号出力部５の出力端子に接続されている。第２スイッチ１６の第１端子は、テレビのコンポジット信号が入力され、第２端子はカメラ信号が入力される。
【００３６】
第２スイッチ１６の共通端子は、画像形成部６の入力端子に接続されている。以上の部品により、この液晶表示装置１は構成されている。
【００３７】
次に、主に図２と図３に従い、この信号出力部５を説明する。図３において、信号出力部５は、記憶部１７と、ＤＡ変換部１８と、切替部１９と、ホールド部２０等から構成されている。
【００３８】
記憶部１７は書き換え可能な記憶部（例えば、ＥＰＲＯＭ等）である。記憶部１７は例えば、画質調整電圧に係る、所定の各（複数の）デジタル値を記憶している。
【００３９】
切替部１９は例えば、制御部２１と、レジスタ２２と、発振器２３と、選択回路２４とスイッチ２５ａ，２５ｂ，・・・，２５ｉ，２５ｊ（例えば、スイッチは合計１０個ある）とから構成されている。
【００４０】
外部端子２６の一側は、入力部３に接続されている。外部端子２６の他側は、制御部２１に接続されている。制御部２１は、外部端子２６と入力部３を介して、バス１１９から更新された各デジタル値を取り込み、記憶部１７のデータを書き換えさせる動作をする。制御部２１は簡単な論理回路で構成されている。
【００４１】
発振器２３は制御部２１に対し、クロック信号を出力する。制御部２１はクロック信号に従って、記憶部１７に記憶されている所定の各デジタル値を読み出し、レジスタ２２に対し、出力する。レジスタ２２は各デジタル値を一時保存するものである。
【００４２】
ＤＡ変換部１８は、レジスタ２２から出力された各デジタル値を各アナログ値（例えば合計１０個ある）に変換するものである。
【００４３】
スイッチ２５ａ〜２５ｊの各々の一側は、ＤＡ変換部１８の出力側に共通して接続されている。スイッチ２５ａ，２５ｂ，・・・，２５ｉ，２５ｊの各々の他側は、ホールド部２０の各入力線２０ａ，２０ｂ，・・・，２０ｉ，２０ｊに接続されている。
【００４４】
選択回路２４は例えば、セレクタ等からなり、その入力端子は制御部２１に接続されている。選択回路２４に設けられた１０個の出力端子は各々、スイッチ２５ａ〜２５ｊの各制御端子（図示せず）に接続されている。
【００４５】
制御部２１は選択回路２４に対し、スイッチ切替信号を出力する。その結果、選択回路２４はスイッチ２５ａ〜２５ｊの各制御端子に対して、順次、オンする制御信号を出力する。
【００４６】
それ故、最初にスイッチ２５ａのみをＴ１ｍＳの間に閉成し、その閉成が終了してからＴ２ｍＳ後に、スイッチ２５ｂのみをＴ１ｍＳの間に閉成する。
【００４７】
その閉成が終了してからＴ２ｍＳ後に、スイッチ２５ｃのみをＴ１ｍＳの間に閉成し、その閉成が終了してからＴ２ｍＳ後に、スイッチ２５ｄのみをＴ１ｍＳの間に閉成する。
【００４８】
その閉成が終了してからＴ２ｍＳ後に、スイッチ２５ｅのみをＴ１ｍＳの間に閉成し、その閉成が終了してからＴ２ｍＳ後に、スイッチ２５ｆのみをＴ１ｍＳの間に閉成する。
【００４９】
その閉成が終了してからＴ２ｍＳ後に、スイッチ２５ｇのみをＴ１ｍＳの間に閉成し、その閉成が終了してからＴ２ｍＳ後に、スイッチ２５ｈのみをＴ１ｍＳの間に閉成する。
【００５０】
その閉成が終了してからＴ２ｍＳ後に、スイッチ２５ｉのみをＴ１ｍＳの間に閉成し、その閉成が終了してからＴ２ｍＳ後に、スイッチ２５ｊのみをＴ１ｍＳの間に閉成する。そして、選択回路２４は上記動作を繰り返す。
【００５１】
以上の部品２１，２２，２３，２４，２５ａ〜２５ｊ等により、切替部１９は構成されている。この様にして、切替部１９は、ＤＡ変換部１８により変換された各アナログ値（合計１０種類）の順次切替えを繰返す。
【００５２】
コンデンサ２７ａの一側は入力線２０ａに接続され、他側は接地されている。アンプ２８ａの入力側は入力線２０ａに接続され、他側は電圧出力端子２９ａに接続されている。
【００５３】
コンデンサ２７ｂの一側は入力線２０ｂに接続され、他側は接地されている。アンプ２８ｂの入力側は入力線２０ｂに接続され、他側は電圧出力端子２９ｂに接続されている。
【００５４】
コンデンサ２７ｃの一側は入力線２０ｃに接続され、他側は接地されている。アンプ２８ｃの入力側は入力線２０ｃに接続され、他側は電圧出力端子２９ａに接続されている。
【００５５】
コンデンサ２７ｄの一側は入力線２０ｄに接続され、他側は接地されている。アンプ２８ｄの入力側は入力線２０ｄに接続され、他側は電圧出力端子２９ｄに接続されている。
【００５６】
コンデンサ２７ｅの一側は入力線２０ｅに接続され、他側は接地されている。アンプ２８ｅの入力側は入力線２０ｅに接続され、他側は電圧出力端子２９ｅに接続されている。
【００５７】
コンデンサ２７ｆの一側は入力線２０ｆに接続され、他側は接地されている。アンプ２８ｆの入力側は入力線２０ｆに接続され、他側は電圧出力端子２９ｆに接続されている。
【００５８】
コンデンサ２７ｇの一側は入力線２０ｇに接続され、他側は接地されている。アンプ２８ｇの入力側は入力線２０ｇに接続され、他側は電圧出力端子２９ｇに接続されている。
【００５９】
コンデンサ２７ｈの一側は入力線２０ｈに接続され、他側は接地されている。アンプ２８ｈの入力側は入力線２０ｈに接続され、他側は電圧出力端子２９ｈに接続されている。
【００６０】
コンデンサ２７ｉの一側は入力線２０ｉに接続され、他側は接地されている。アンプ２８ｉの入力側は入力線２０ｉに接続され、他側は電圧出力端子２９ｉに接続されている。
【００６１】
コンデンサ２７ｊの一側は入力線２０ｊに接続され、他側は接地されている。アンプ２８ｊの入力側は入力線２０ｊに接続され、他側は電圧出力端子２９ｊに接続されている。
【００６２】
この様に、入力線２０ａ〜２０ｊと、コンデンサ２７ａ〜２７ｊと、アンプ２８ａ〜２８ｊと、電圧出力端子２９ａ〜２９ｊとにより、ホールド部２０が構成されている。
【００６３】
上記構成により、ホールド部２０は、切替部１９により切替えられた各アナログ値（１０種類）をホールドし、複数の異なる画質調整電圧Ｖａ〜Ｖｊを出力するものである。
【００６４】
即ち、信号出力部５は画像形成部６に対し、記憶された、複数の異なる画質調整電圧Ｖａ〜Ｖｊを出力する。
【００６５】
また、記憶部１７と、ＤＡ変換部１８と、切替部１９と、ホールド部２０とが１個の集積回路素子として、組み込まれても良い。この様に、１個のＩＣとして組み込む事により省スペース化が得られ、コストが安くなり、かつノイズが入りにくい。
【００６６】
なお、上記Ｖａは、アンプ２８ａ〜２８ｊの端子電圧、Ｖｂはコントラストを決定する電圧、ＶｃはＧＡＭＭＡの０端子に印加される電圧、ＶｄはＧＡＭＭＡの２端子に印加される電圧、Ｖｅは青色の輝度を決定する電圧である。
【００６７】
Ｖｆは赤色の輝度を決定する電圧、ＶｇはＲＧＢ  ＡＭＰの端子電圧、Ｖｈは青色のコントラストを決定する電圧、Ｖｉは赤色のコントラストを決定する電圧、Ｖｊは輝度端子電流を決定するものである。
【００６８】
次に、本発明の実施の形態２に係る液晶表示装置３０を、図２と図４に従い説明する。図４は、この液晶表示装置３０に用いられる、信号出力部５Ａのブロック図である。
【００６９】
図２において、液晶表示装置３０は、画像形成部６の代わりに、画像形成部６Ａが用いられ、信号出力部５の代わりに、信号出力部５Ａが用いられる。また、信号出力部５Ａと画像形成部６Ａとの間には、通信線３１が接続される。液晶表示装置３０は、上記３つの部品以外は、液晶表示装置１の部品と同一である。
【００７０】
画像形成部６Ａは、通信線３１を介して信号出力部５Ａから、シリアルインターフェイス用信号を受取る様に構成されている。画像形成部６Ａは例えば、シリアルインターフェイス用信号受取部と、レジスタと、ＤＡ変換部と、信号変換部等から構成されている。
【００７１】
図２に示す様に、液晶表示装置３０は、映像信号４が入力される入力部３と、信号出力部５Ａと、映像信号４に従い、画像信号１０を出力する画像形成部６Ａを有している。
【００７２】
液晶表示装置３０は更に、液晶パネル１１４と、画像信号１０に従い、液晶パネル１１４を駆動する駆動部９とを有している。液晶表示装置３０は更に、図２に示した部品１１，１２，１３，１４，１５，１６，８等を有している。
【００７３】
上記構成により、電源投入時に、信号出力部５Ａは通信線３１を介して画像形成部６Ａに対して、記憶された、かつ、画質調整に係るシルアルインターフェイス用信号を出力する。
【００７４】
次に、主に図４に従い、信号出力部５Ａを説明する。信号出力部５Ａは、記憶部３２と監視部３３と、読出し部３４と、出力部３５等から構成されている。
【００７５】
記憶部３２は書き換え可能な記憶部（例えば、ＥＰＲＯＭ等）である。記憶部３２は例えば、画質調整値を示す、所定の各（例えば、１６項目の）デジタル値を記憶している。
【００７６】
読出し部３４は例えば、制御部３６と、発振器３７と、レジスタ３８と、デコーダ３９等とから構成されている。
【００７７】
外部端子４０の一側は、入力部３に接続されている。外部端子４０の他側は、制御部３６に接続されている。制御部３６は、外部端子４０と入力部３を介して、バス１１９から更新された各デジタル値を取り込み、記憶部３２のデータを書き換えさせる動作をする。制御部３６は簡単な論理回路で構成されている。
【００７８】
発振器３７は制御部３６に対し、クロック信号を出力する。制御部２１はクロック信号に従って、記憶部３２に記憶されている所定の各デジタル値を読み出し、レジスタ３８に対し、出力する。レジスタ３８は各デジタル値を一時保存するものである。
【００７９】
監視部３３は例えば、電源部１１の入力側または出力側の電源電圧を監視するものである。監視部３３は、電源電圧の変化により、電源が投入されたと判定すると、制御部３６に対し、起動状態判定信号を出力する。
【００８０】
デコーダ３９は制御部３６からのタイミング信号を元に、レジスタ３８から出力された各デジタル値をデコード（解読）するものである。これらの制御部３６と、発振器３７とレジスタ３８と、デコーダ３９等により、読出し部３４が構成されている。
【００８１】
この様に、監視部３３は電源が投入されたと判定した時に、読出し部３４は各デジタル値を読出し、デコードするものである。
【００８２】
出力部３５は、デコーダ３９が出力した信号を、外部通信端子４１および通信線３１を介して、相手部品（画像形成部６Ａ）に通信するために、相手部品の電気的仕様を満足するインターフェイスの機能を持つ。即ち、出力部３５は、デコーダ３９にてデコードされた信号を、シリアルインターフェイス用信号に変換し、画像形成部６Ａに対し、出力するものである。
【００８３】
また、記憶部３２と、監視部３３と、読出部３４と、出力部３５とが１個の集積回路素子として、組み込まれても良い。この様に、１個のＩＣとして組み込む事により、省スペース化が得られ、コストが安くなり、かつノイズが入りにくい。上記部品により、この液晶表示装置３０は構成されている。
【００８４】
次に、主に、図１と図２と図４に従い、この液晶表示装置３０の動作を説明する。最初に、ユーザ（使用者）が入力操作部１０８に設けられた運転開始ボタン（図示せず）を押したとする。
【００８５】
この時、入力部３から電源部１１に対し、電圧が供給され始めると、信号出力部５Ａを構成する監視部３３は、電源が投入されたと判定する。その結果、監視部３３は制御部３６に対し、起動状態判定信号を出力する。
【００８６】
上記信号の入力に従って、制御部３６は記憶部３２から、各デジタル値（例えば、１６種類ある）の中から、１番目の４種類のデジタル値を読出し、レジスタ３８へ出力する。
【００８７】
レジスタ３８は、制御部３６からのタイミング信号に従い、１種類毎のデジタル値を、順次、デコーダ３９へ出力する。デコーダ３９は、制御部３６からのタイミング信号に従い、１種類毎のデジタル値をデコードし、デコードされた信号を出力部３５へ出力する。
【００８８】
出力部３５は、順次デコードされた上記信号を、第１シリアルインターフェイス用信号に変換する。そして、出力部３５は、外部通信端子４１と通信線３１を介して、画像形成部６Ａに対して、上記第１シリアルインターフェイス用信号を出力する。
【００８９】
同様にして、制御部３６は記憶部３２から、２番目の４種類のデジタル値を読み出し、画像形成部６Ａに対し、第２シリアルインターフェイス用信号を出力する。同様にして、信号出力部５Ａは画像形成部６Ａに対し、第３および第４シリアルインターフェイス用信号を出力する。
【００９０】
この様にして、電源投入時に、信号出力部５Ａは画像形成部６Ａに対して、画質調整に係るシリアルインターフェイス用信号を出力する。なお、上記シリアルインターフェイス用信号とは、第１、第２、第３、第４シリアルインターフェイス用信号が連続したものである。
【００９１】
なお、上記各デジタル値（１６種類）とは例えば、全体の輝度を決定するデジタル値と青色の輝度を決定するデジタル値と、赤色の輝度を決定するデジタル値と、全体のコントラストを決定するデジタル値と、青色のコントラストを決定するデジタル値と、赤色のコントラストを決定するデジタル値等である。
【００９２】
画像形成部６Ａを構成する受取部は、上記シリアルインターフェイス用信号を受取ると画像形成部６Ａを構成するレジスタに対し、上記信号を出力する。
【００９３】
画像形成部６Ａを構成するＤＡ変換部は、上記シリアルインターフェイス用信号をアナログ値に変換し、画像形成部６Ａを構成する信号変換部に対し、上記アナログ値を出力する。
【００９４】
上記信号変換部は、画質調整に係る上記アナログ値と、映像信号４と、同期信号ＣＳＹＮＣと、タイミング信号ＰＯＬＣ，ＰＯＬＶ，ＳＷＶとの入力により、所定の画質に調整され、かつ極性反転を繰返す画像信号１０を出力する。
【００９５】
また、電源投入が終わり、電源電圧が安定した時、信号出力部５Ａは画像形成部６Ａに対し、上記シリアルインターフェイス用信号の出力を停止する。この時、画像形成部６Ａを構成するレジスタは、画質調整に係る各デジタル値（１６種類）を保存しているので、上記画像信号１０を出力し続ける。
【図面の簡単な説明】
【００９６】
【図１】本発明を実施するための最良の形態１に係る表示装置１を用いた電子機器１００のブロック図である。
【図２】液晶表示装置１のブロック図である。
【図３】液晶表示装置１に用いられる信号出力部５のブロック図である。
【図４】本発明を実施するための最良の形態２に係る表示装置３０に用いられる、信号出力部５Ａのブロック図である。
【符号の説明】
【００９７】
３  入力部
４  映像信号
５  信号出力部
６  画像形成部
７  画質調整電圧
９  駆動部
１１４  液晶パネル
【図１】
2006084662.tif 000003
【図２】
2006084662.tif 000004
【図３】
2006084662.tif 000005
【図４】
2006084662.tif 000006